(57)【特許請求の範囲】
【請求項１】
揚送体本体の上下に配置される上ローラと下ローラとの間に無端の揚送ベルトを掛け渡して、この揚送ベルトでパチンコ玉を揚送するパチンコ玉揚送装置であって、
支持板と、
前記支持板から立設され前記下ローラのローラ軸の一方を軸支する第１軸支部材と、
前記揚送体本体を支持し、前記第１軸支部材の上部と連続し前記揚送ベルトのループ内を通る頂部と、
前記ローラ軸の他方を軸支し、前記頂部の自由端側から下方へ前記支持板との間に揚送ベルトを通せるように延出する第２軸支部材と、
前記第２軸支部材及び前記支持板に着脱可能に取り付けられ前記第２軸支部材を前記支持板へ支持する支持片と、
前記下ローラの周面の下側を覆い、パチンコ玉を狭持揚送する通路を前記揚送ベルトの前記下ローラの周面に巻掛けられた部分との間に形成する食い込みシュートと、
前記食い込みシュートを前記第１軸支部材及び前記第２軸支部材にそれぞれ固定する食い込みシュートブラケットと、
前記揚送体本体の上端に着脱可能に取り付けられた排出シュートブラケットと、
前記上ローラの上下位置を調整するために前記揚送体本体の両側上端から上方に突き出して設けられた上下位置調整用ボルトと、を備え、
前記排出シュートブラケットが取り外されたときに、前記上ローラに巻き掛けられた前記揚送ベルト上端が前記上下位置調整用ボルト間に位置するように構成されている
ことを特徴とするパチンコ玉揚送装置。
【発明の詳細な説明】
【０００１】
【産業上の利用分野】
本発明は、パチンコホール内でパチンコ玉を所定高さへ供給するパチンコ玉揚送装置に関する。
【０００２】
【従来技術】
近年のパチンコホールには、外側に向けて一群のパチンコ機が設置されたパチンコ機ヤード（パチンコホール内に点在することから「島」と呼ばれる）を並列配置し、これらのパチンコ機ヤード内で各パチンコ機から排出されたパチンコ玉を回収，研磨しながら所定高さへと揚送し、再び各パチンコ機のパチンコ玉補充経路に供給するパチンコ玉揚送装置が用いられている。
【０００３】
このパチンコ機ヤードの内部では底板がパチンコ玉揚送装置に向かって下り勾配とされた貯蔵タンクが設けられている。この貯蔵タンクにはパチンコ機ヤード内を循環するパチンコ玉の絶対量を増やすため予め所定数のパチンコ玉が貯蔵されており、貯蔵タンクに貯蔵されたパチンコ玉は貯蔵タンクの下流に形成された通路を通じてパチンコ玉揚送装置で研磨されパチンコ機ヤードの上部へ搬送され各パチンコ機を介した後に再び貯蔵タンクへ還流される。
【０００４】
ところで、パチンコ玉揚送装置の下部ローラ軸支構造には、下部ローラの両端をパチンコ玉揚送装置のベースに共に支持させる両軸支構造と，下部ローラの片側のみをブラケットを介してベースに支持させる片軸支構造とがある。
【０００５】
この片軸支構造は、無端ベルトの交替が容易であるが、下部ローラの支持の安定性を確保するため、ブラケットに強い剛性が要求され、そのため高価となっていた。また、下部ローラに強い揚送力が加わると、ブラケットが変形して下部ローラに巻き掛けた無端ベルトの外周へパチンコ玉を案内する食い込みシュートと無端ベルト外周との隙間が均一でなくなり、パチンコ玉の揚送能力が低下する場合がある。
【０００６】
一方、両軸支構造では、上記した片軸支構造と異なり、下部ローラの支持の安定性や，揚送能力を確保できるが、下部ローラの軸方向両端は閉鎖されているので、無端ベルトの交替が煩雑であった。
【０００７】
【発明が解決しょうとする課題】
本発明は上記事実を考慮し、両軸支構造を維持しつつ無端の揚送ベルトの取り替えを容易にするパチンコ玉揚送装置を提供することを目的とする。
【０００８】
【課題を解決するための手段】
請求項１記載のパチンコ玉揚送装置は、揚送体本体の上下に配置される上ローラと下ローラとの間に揚送ベルトを掛け渡して、この揚送ベルトでパチンコ玉を揚送するパチンコ玉揚送装置であって、支持板と、前記支持板から立設され前記下ローラのローラ軸の一方を軸支する第１軸支部材と、前記揚送体本体を支持し、前記第１軸支部材の上部と連続し前記揚送ベルトのループ内を通る頂部と、前記ローラ軸の他方を軸支し、前記頂部の自由端側から下方へ前記支持板との間に揚送ベルトを通せるように延出する第２軸支部材と、前記第２軸支部材及び前記支持板に着脱可能に取り付けられ前記第２軸支部材を前記支持板へ支持する支持片と、前記下ローラの周面の下側を覆い、パチンコ玉を狭持揚送する通路を前記揚送ベルトの前記下ローラの周面に巻掛けられた部分との間に形成する食い込みシュートと、前記食い込みシュートを前記第１軸支部材及び前記第２軸支部材にそれぞれ固定する食い込みシュートブラケットと、前記揚送体本体の上端に着脱可能に取り付けられた排出シュートブラケットと、前記上ローラの上下位置を調整するために前記揚送体本体の両側上端から上方に突き出して設けられた上下位置調整用ボルトと、を備え、前記排出シュートブラケットが取り外されたときに、前記上ローラに巻き掛けられた前記揚送ベルト上端が前記上下位置調整用ボルト間に位置するように構成されていることを特徴とする。
【０００９】
【作用】
請求項１に係る発明では、ローラ軸の一方が揚送体本体を支持し支持板から立設された第１軸支部材へ，他方が頂部の自由端側から下方へ延出された第２軸支部材へ軸支される。これによって、下ローラは実質的に両持ち状態となり、ローラ軸の両方が確実に強固に支持される。また、揚送ベルトの取替時には第２軸支部材と支持板との間を通して揚送ベルトを移動させ交替作業を行う。
【００１０】
また、支持片を第２軸支部材及び基礎へ取り付けることにより、第２軸支部材にかかる荷重を支持板で支持する。この発明では、支持片を取り外した後に、揚送ベルトを交替することができる。
【００１１】
【実施例】
図１〜図５には、本発明の一実施例が示されている。図１は本実施例に係るパチンコ玉揚送装置を示す全体斜視図であり、図２は下ローラ軸支構造の要部を示す一部破断した正面図である。
【００１２】
パチンコホール内では複数のパチンコ機ヤードが設けられ、これらのパチンコ機ヤードでは外側に向けて多数のパチンコ機が設置されると共に、内部には図１に示すパチンコ玉揚送装置１０が配置されている。このパチンコ玉揚送装置１０は、ベース１２が床面へ固定され、このベース１２上に基礎としての支持板１４がボルトで締結固定されている。
【００１３】
図２〜図４に示すように、ブラケット３０を一部構成する第１軸支部材３０Ａが支持板１４に複数本のボルト２００で締結固定されている。この第１軸支部材３０Ａの上部には、無端ベルトとしての揚送ベルト２５のループ内を通る頂部３０Ｄが連続して形成されている。
【００１４】
第１軸支部材３０Ａには、ベアリング２２０を介して下ローラ２０の軸心へ固定された軸２０Ａの一方が軸支されている。この軸２０Ａにはスナップリング２４０が嵌め込まれて第１軸支部材３０Ａからの離脱が阻止されている。また、軸２０Ａには、その軸心に沿って図示しないプーリと嵌合するキー溝２２Ｂが形成されている。
【００１５】
一方、軸２０Ａよりも短い軸２０Ｂが、下ローラ２０の左側面（矢印ＬＴ側）の軸心から突設されており、この軸２０Ｂは支持部材３０Ｂで支持される。この支持部材３０Ｂは、第１軸支部材３０Ａの頂部３０Ｄの自由端側から下方へ前記支持板との間に揚送ベルトを通せるように延出する第２軸支部材３２と、この第２軸支部材３２を支持板１４に連結するための略Ｌ字状の支持片３４とを備えている。この第２軸支部材３２と第１軸支部材３０Ａとで下ローラ２０の軸２０Ａ，２０Ｂを支持することにより下ローラ２０を実質的に両持ち状に支持する。
【００１６】
板状の支持片３４は、支持板１４に着脱可能に固定される基片３５Ａから直角状に立ち上がった立片３５Ｂを有しており、第２軸支部材３２にかかる荷重を支持板１４に伝える。また、軸２０Ｂには、ベアリング２２０と当接係合する係合面２１，この係合面２１から外側の軸端にスナップリング２４０と嵌合する溝２２Ａが形成されている。
【００１７】
第２軸支部材３２は、それぞれ一対設けられたうちの図３では片側のみ示す位置決め用ピン３６及びボルト３７で揚送体本体５０の取付基部１５及び第１軸支部材３０Ａの頂部３０Ｄに固定される。すなわち、取付基部１５，頂部３０Ｄ，及び第２軸支部材３２の上面には、ボルト孔１５Ｂ，３２Ｂ及びピン孔１５Ａ，３２Ａがそれぞれ対応して形成されている。このピン孔１５Ａ，３２Ａに挿入するピン３６の長さは、取付基部１５，頂部３０Ｄの厚さ及び第２軸支部材３２側のピン孔１５Ａ，３２Ａの合計の深さに略対応している。なお、ピン３６は、第２軸支部材３２を取付基部１５及び第２軸支部材３０Ａへ取り付ける際の位置決めを行うものである。
【００１８】
また、第２軸支部材３２には支持片３４と重なり合う下側側壁部分にボルト孔３２Ｃが複数（この実施例では合計４個）形成されており、このボルト孔３２Ｃに対応して支持片３４の立片３５Ｂに孔３４Ｂが同数形成されている。これらの孔３４Ｂ及びボルト孔３２Ｃにワッシャ１３９を挿通したボルト１３８を螺合して支持片３４を第２軸支部材３２に締結する。
【００１９】
この支持片３４の基片３４Ａには支持板１４に形成されたボルト孔１４Ａに対応して孔３４Ａが２ヶ所形成されており、これらのボルト孔１４Ａ及び孔３４Ａにワッシャ３９を挿通したボルト３８を螺合して支持片３４を支持板１４に締結固定する。
【００２０】
なお、図３に示すように、支持片３４の立片３５Ｂには、その第２軸支部材３２側の端縁に位置決め片３５Ｃが第２軸支部材３２側に向かって突設されている。
【００２１】
なお、図１，５に示される如く、下ローラ２０の下半周には揚送ベルト２５の一部が巻掛けて折送されている。この下ローラ２０の下側には食い込みシュート４０が一対のＬ字状の食い込みシュートブラケット４１を介して第１軸支部材３０Ａ，第２軸支部材３２へそれぞれ固定され、下ローラ２０の下部を覆っている。この食い込みシュート４０にはその内周面に図示しない柔軟材が貼付され、下ローラ２０へ巻掛けられた揚送ベルト２５の外周との間に図示しないパチンコ玉１個より若干だけ狭い間隔を設けている。これによって食い込みシュート４０の端部付近でパチンコ玉揚送装置１０の後方（矢印ＲＥ方向）にあるパチンコ玉を揚送ベルト２５とこの食い込みシュート４０との間に誘い込む（矢印Ａ方向）と共に、下ローラ２０の周面に沿ってパチンコ玉揚送装置１０の前方（矢印ＦＲ方向）及び上方（矢印ＵＰ方向）へと送るようになっている。
【００２２】
ブラケット３０の頂部３０Ｄには取付基部４２を介して揚送体本体５０が立設されている。この揚送体本体５０の下端には、ブラケット４４が固着されモータ６０が設置されている。このモータ６０の駆動力はカバー６２内の図示しないＶベルトを介して下ローラ２０へと伝達される。即ち、モータ６０が駆動することにより下ローラ２０に図１の時計方向（矢印Ｂ方向）回転力が伝達される。
【００２３】
なお、図５に示すように、揚送体本体５０後側（矢印ＲＥ側）には、水平断面形状がコ字状のベルトカバー４８が配置され、このベルトカバー４８は揚送体本体５０後方下側に位置される揚送ベルト２５の一部を覆い隠している。
【００２４】
揚送体本体５０は水平断面形状がコ字状とされており、この揚送体本体５０の上端に上ローラ４６が回転可能に水平に軸支されている。下ローラ２０へ一部が巻掛けられた揚送ベルト２５は、上ローラ４６へ他の一部が巻掛けられて、上ローラ４６と下ローラ２０との間で循環する。ここに下ローラ２０から送り出されて上ローラ４６へと至る揚送ベルト２５の表面部分はパチンコ玉の揚送路となる。
【００２５】
揚送体本体５０には、上下中間部に複数本のガイドローラ２８が軸心水平で下ローラ２０，上ローラ４６と平行に所定間隔で軸支されている。これらのガイドローラ２８の周面は揚送体本体５０に形成された窓から突出し、上昇される揚送ベルト２５の裏面と接触し、揚送ベルト２５の中間部が後方（矢印ＲＥ方向）へ撓むのを抑え、揚送ベルト２５の移動を円滑にすると共に、柔軟弾性体７１又は研磨布９０と揚送ベルト２５との間隔を一定にしてパチンコ玉の揚送を確実にする。
【００２６】
揚送体本体５０の上端には、排出シュートブラケット４３を介して排出シュート４２が上ローラの上部を覆っている。この排出シュート４２は揚送されたパチンコ玉を後方（矢印ＲＥ方向）へと送り、図示しない案内樋へと落とすように揚送ベルト２５との間がパチンコ玉１個よりも若干だけ狭い間隔とされている。
【００２７】
揚送体本体５０の前方（矢印ＦＲ方向）には、抜き差しヒンジを介して上下扉６６，６８が開閉可能に配置されている。揚送体本体５０の側方一端にはヒンジの一方を構成する図示しない垂直軸状の支持部が軸心を垂直として、上下に所定間隔で複数個立設固定されている。また、各上下扉６６，６８は水平断面形状において両側端が直角に屈曲され、側板６７Ａ，６７Ｂとされたコ字状であり、一方の側板６７Ａには支持部に対応する位置にヒンジの他方を構成する図５に示す筒部６５Ｂが軸心を垂直として固定されている。即ち、上下扉６６，６８はこの筒部６５Ｂが支持部６５Ａに軸支されて回転することにより、パチンコ玉の揚送路を介して揚送ベルト２５とは反対側に位置し揚送路を閉止する状態（図１の状態）から開放する状態まで回転移動可能に配置されている。
【００２８】
図５に示される如く、上扉６６の内側には柔軟弾性体７１が、下扉６８の内側には研磨布９０がそれぞれ配置され、柔軟弾性体７１，研磨布９０は上下扉６６，６８の閉状態において揚送ベルト２５に対向する。即ち、柔軟弾性体７１，研磨布９０は、上下扉６６，６８の揚送路閉止状態（図１の状態）において、上下扉６６，６８の揚送路側で揚送ベルト２５に対向し、揚送ベルト２５との間にパチンコ玉を挟持してパチンコ玉に揚送力を付与する位置に配置されている。
【００２９】
なお、扉を上下２段構成としたのは、研磨布９０の交換を容易にするために、研磨布９０の上端に普通の大人が脚立等を使用しない状態で手が届くようにしたものである。すなわち、パチンコ玉揚送装置１０の高さはパチンコ玉をパチンコ機ヤードの上方へ搬送して自然流下できるように予め設定されているため、扉の上下方向の高さは相当に高いものになる。そのため、研磨布９０の長さ（下扉６８の上下方向の長さ）をその上端に普通の大人が脚立等を使用しない状態で手が届き、かつ、パチンコ玉を揚送させながら充分に磨ける程度に制限し、この高さ以上の部分はパチンコ玉を排出シュート４２へ送り出す、即ち、パチンコ玉を揚送ベルト２５とで挟持してパチンコ玉に揚送力を付与する柔軟弾性体７１とし、これらに対応するように扉を上下２段構成としてある。なお、柔軟弾性体７１は、上記の如くパチンコ玉に揚送力を付与するものであるから、研磨布９０に比べて交換の回数は少ない。
【００３０】
また、上下扉６６，６８には、ヒンジ６５Ｂの反対側の側板６７Ｂに上下扉６６，６８の閉止状態を保持する締結具の一方を構成する略Ｌ字形のフック部８５Ａが上下に隔てて複数配置されている。一方、揚送体本体５０には、フック部８５Ａに対応する位置に締結具の他方を構成する止具８５Ｂがそれぞれ配置されており、フック部８５Ａを係止することにより上下扉６６，６８の閉止状態を保持する。上下扉６６，６８の閉止状態を維持するには、上記構成の締結具以外に各種の締結具が適用できる。
【００３１】
下扉６８裏面内側の両側部には、側板６７Ａ，６７Ｂ寄りに研磨布９０の挿入を案内する図示しない２本のガイドレールがそれぞれ配置されている。研磨布９０の下端には、ポケット状の引掛部９２が形成されている。この引掛部９２は、研磨布９０の下端を折曲げた状態で研磨布９０の幅方向の両端を長手方向に沿って縫糸で縫着することによって形成されている。下扉６８の下端には、その幅方向の両端に切欠がそれぞれ形成されており、これらの切欠７７の間の下扉６８の下端部を突片としている。図１に示される如く、研磨布９０は引掛部９２をこの突片へ被せて研磨布９０の下端側を下扉６８に係止する。
【００３２】
下扉６８の上端付近の外側には、ストッパ９６が配置されている。このストッパ９６は、下扉６８の外側へ被せるように水平断面コ字状に形成された板材であり、一対のボルト９６Ｂをストッパ９６の両端を貫通して下扉６８へ螺合することにより固定する。即ち、引掛部９２を下扉６８に引掛けた状態で上端部９５を下扉６８の上端で折り返してストッパ９６と下扉６８との間に挟持することで固定する。従って、研磨布９０の長さは、下扉６８の上下方向の長さよりも若干長くなるように設定されている。
【００３３】
次に、本実施例の揚送ベルト２５の取り替え時の着脱について説明する。図５に示すように、例えば上下扉６６，６８を取り外した後、食い込みシュート４０，ベルトカバー４８を取り外す。排出シュートブラケット４３を揚送体本体５０から取り外した後、揚送体本体５０の両側上端から上方に突き出る上ローラ４６の上下位置調整用ボルト２５０を、治具３００の角孔を用いて螺込み，上ローラ４６の位置を下方へ移動させて揚送ベルト２５の張力を弱める。なお、上記各部品の取り外し順序は、上記の順序に限定されず、いずれから取り外してもよい。
【００３４】
図４に示すように、下ローラ２０の軸２０Ｂの溝２２Ａよりスナップリング２４０を取り外す。なお、この場合、下ローラ２０の軸２０Ａ側のスナップリング２４０を取り外す必要はなく、プーリカバー６２，図示しないプーリ等も取り外す必要はない。
【００３５】
支持片３４を支持板１４に締結しているボルト３８及びボルト１３８を取り外した後、この支持片３４を下ローラ２０の軸２０Ｂから図４の矢印Ｒ方向と逆方向へ移動させて引き抜く。また、図５に示される如く、第２軸支部材３２側の食い込みシュートブラケット４１を取り外す。また、第２軸支部材３２と取付基部１５とを締結しているボルト３７と孔１５Ａ，３２Ａに挿入されているピン３６は取り外す必要はない。
【００３６】
上記したように張力が弱められている揚送ベルト２５の下端を図４の矢印Ｒ方向と逆方向へ移動させて下ローラ２０から外し、次に、上下位置調整用ボルト２５０，２５０間に位置する揚送ベルト２５の上端を持ち上げ上ローラ４６から外すことにより、図５の２点鎖線に示すように、揚送ベルト２５を取り外す。
【００３７】
補修後の又は新規な揚送ベルト２５を取り付けるには、上記の逆の手順によって行う。詳しく説明すると、図５の破線に示す状態にある揚送ベルト２５の上端を上ローラ４６に巻き掛けて上下位置調整用ボルト２５０，２５０間に位置させ、揚送ベルト２５の下端を図４の矢印Ｒ方向に移動させて下ローラ２０に巻き掛ける。この巻き掛け後に、支持片３４を取り付ける。すなわち、図４に示すように、支持片３４を図４の矢印Ｒ方向へ移動させて第２軸支部材３２に連結させ、ボルト３８，１３８で支持片３４を支持板１４，３２に締結する。この締結後に、スナップリング２４０を下ローラ２０の軸２０Ｂの溝２２Ａに嵌入させると共に、食い込みシュートブラケット４１を第２軸支部材３２に取り付ける。
【００３８】
図５に示す治具３００を用いて、上下位置調整用ボルト２５０を回転させ揚送ベルト２５の張力を弛みがでないように調整した後、ベルトカバー４８，排出シュートブラケット４３，食い込みシュート４０，上下扉６６，６８を取り付ける。
【００３９】
従って、本実施例においては、支持片３４が第２軸支部材３２及び支持板１４に対して着脱可能に連結されているので、支持片３４の着脱のみで揚送ベルト２５を容易に取り替えできる。また、本実施例においては、下ローラ２０の軸２０Ａ，２０Ｂを第１軸支部材３０Ａ，第２軸支部材３２で支持する両軸支構造を維持しているので、従来の片軸支構成と異なり、高性能の揚送を可能にすると共に、下ローラ２０の支持のための各部品の寿命又は信頼性を向上させる。さらに、本実施例においては、支持片３４を支持板１４に連結しているので、第２軸支部材３２ひいては下ローラ２０を安定して支持できる。
【００４０】
揚送ベルト２５の取り替え後は、モータ６０を駆動することにより下ローラ２０が時計方向に回転してパチンコ玉を揚送ベルト２５と食い込みシュート４０との間に誘い込み、パチンコ玉揚送装置１０の前方及び上方へと送る。即ち、パチンコ玉は揚送ベルト２５と研磨布９０とに挟持されて研磨布９０で研磨（摺動回転）されながら揚送される。
【００４１】
さらに、図５に示すように、パチンコ玉が柔軟弾性体７１にまで揚送されると、パチンコ玉は揚送ベルト２５と柔軟弾性体７１とに挟持，揚送されて排出シュート４２から排出される。
【００４２】
【発明の効果】
本発明は上記構成としたので、両軸支構造を保持しつつ無端の揚送ベルトの着脱が容易になる。
【図面の簡単な説明】
【図１】本実施例に係るパチンコ玉揚送装置を示す斜視図である。
【図２】本実施例に係るローラ軸支構造の要部を示す一部破断した正面図である。
【図３】本実施例に係るローラ軸支構造を示す分解斜視図である。
【図４】本実施例に係る揚送ベルトの取り外し状態のローラ軸支構造を示す分解正面図である。
【図５】本実施例に係る揚送ベルトの取り外し状態を示す分解斜視図である。
【符号の説明】
１０    パチンコ玉揚送装置
１２    ベース
１４    支持板（基礎）
２０    下ローラ
２０Ａ，２０Ｂ  下ローラの軸
２５    揚送ベルト（無端ベルト）
３０Ａ    第１軸支部材
３０Ｄ 頂部
３２    第２軸支部材
３４    支持片
４１ 食い込みシュートブラケット
５０    揚送体本体
２５０ 上下位置調整用ボルト
【図１】
0003574501.tif 000002
【図２】
0003574501.tif 000003
【図３】
0003574501.tif 000004
【図４】
0003574501.tif 000005
【図５】
0003574501.tif 000006